(57)【要約】【課題】本発明は、キーボード２１を有する第１ユニット２０と、表示画面３１を有し第１ユニット２０に対し開閉自在かつ回動自在に支持する二軸の連結部４０を介して連結された第２ユニット３０とを備えた電子装置１０に関し、ノートＰＣとタブレットＰＣとの２つの使用態様を有し、光ディスクを装填してアクセスする光ディスクドライブ２６を備え、光ディスクや光ディスクドライブの破損を防止する。【解決手段】第１ユニット２０に対する第２ユニット３０の姿勢に応じて、光ディスクドライブ２６に対するイジェクト操作および光ディスクドライブ２６による光ディスクの回転駆動を禁止する動作禁止モードを設定あるいは解除する。【選択図】        図２
2010140636.tif 000002
【特許請求の範囲】
【請求項１】
情報処理を実行する処理回路を内蔵した第１ユニットと、表示画面が設けられた第１面および該第１面に対向する第２面とを有する第２ユニットとを備えた電子装置において、
前記第２ユニットを前記第１ユニットに対して姿勢変化可能に支持する連結部と、
記憶媒体が操作に応じて装填、取外しされ、装填された記憶媒体を駆動してアクセスする媒体ドライブと、
利用者が当該電子装置を通常利用できる動作状態下での前記第１ユニットに対して前記第２面が対向する前記第２ユニットの姿勢に応じて、前記媒体ドライブに対する操作および／または該媒体ドライブによる記憶媒体の駆動を禁止する動作禁止モードを設定する動作禁止部とを備えたことを特徴とする電子装置。
【請求項２】
前記第１ユニットは該第１ユニットに電気的に接続する接続部を有した第３ユニットに着脱自在に装着可能であり、
前記動作禁止部が、前記姿勢に応じるとともに前記第１ユニットの前記第３ユニットへの装着に応じて、前記動作禁止モードを設定するものであることを特徴とする請求項１記載の電子装置。
【請求項３】
前記第１ユニットは該第１ユニットに電気的に接続する接続部を有した第３ユニットに着脱自在に装着可能であり、
前記動作禁止部が、前記姿勢に応じることに代わり、前記第１ユニットの前記第３ユニットへの装着に応じて、前記動作禁止モードを設定するものであることを特徴とする請求項１記載の電子装置。
【請求項４】
前記動作禁止部により前記動作禁止モードが設定されている間、前記表示画面に前記媒体ドライブが使用不能である旨の表示を行なう表示部を備えたことを特徴とする請求項１乃至３のいずれか１項に記載の電子装置。
【請求項５】
前記動作禁止部は、前記動作禁止モードにあるときに該動作禁止モードの解除を指示する解除指示操作を受け付けて該動作禁止モードを解除するものであることを特徴とする請求項１乃至４のいずれか１項に記載の電子装置。
【請求項６】
前記第１ユニットはキーボードを有する第３面を有し、前記姿勢は該第１ユニットの第３面に前記第２ユニットの第２面が対向する状態であることを特徴とする請求項１乃至５のいずれか１項に記載の電子装置。
【請求項７】
前記第３ユニットが、前記第１ユニットの前記処理回路で使用される、当該電子装置の拡張装置であることを特徴とする請求項２又は３記載の電子装置。
【請求項８】
情報処理を実行する処理回路を内蔵した第１ユニットと、表示画面が設けられた第１面および該第１面に対向する第２面とを有する第２ユニットとを備えた電子装置において、
前記第２ユニットを前記第１ユニットに対して姿勢変化可能に支持する連結部と、
前記第１ユニットに設けられ、該第１ユニットに対して収容状態および突出状態に移動するユニットを有する拡張装置と、
利用者が当該電子装置を通常利用できる動作状態下での前記第１ユニットに対して前記第２面が対向する前記第２ユニットの姿勢に応じて、前記拡張装置のユニットを前記収容状態から前記突出状態への移動を禁止する動作禁止モードを設定する動作禁止部とを備えたことを特徴とする電子装置。
【請求項９】
前記第１ユニットは該第１ユニットに電気的に接続する接続部を有した第３ユニットに着脱自在に装着可能であり、
前記動作禁止部が、前記姿勢に応じるとともに前記第１ユニットの前記第３ユニットヘの装着に応じて、前記動作禁止モードを設定するものであることを特徴とする請求項８記載の電子装置。 
【請求項１０】
前記第１ユニットは該第１ユニットに電気的に接続する接続部を有した第３ユニットに着脱自在に装着可能であり、
前記動作禁止部が、前記婆勢に応じることに代わり、前記第１ユニットの前記第３ユニットヘの装着に応じて、前記動作禁止モードを設定するものであることを特徴とする請求項８記載の電子装置。
【請求項１１】
前記動作禁止部は、前記動作禁止モードにあるときに該動作禁止モードの解除を指示する解除指示操作を受け付けて該動作禁止モードを解除するものであることを特徴とする請求項８乃至１０のいずれか１項に記載の電子装置。
【請求項１２】
前記第１ユニットはキーボードを有する第３面を有し、前記姿勢は該第１ユニットの第３面に前記第２ユニットの第２面が対向する状態であることを特徴とする請求項８乃至１１のいずれか１項に記載の電子装置。
【請求項１３】
前記第３ユニットが、前記第１ユニットの前記処理回路で使用される、当該電子装置の拡張装置であることを特徴とする請求項９又は１０記載の電子装置。
【請求項１４】
情報処理を実行する処理回路を内蔵した第１ユニットと、表示画面が設けられた第１面および該第１面に対向する第２面とを有する第２ユニットとを備えた電子装置で実行される制御プログラムにおいて、
前記電子装置は、前記第２ユニットを前記第１ユニットに対して姿勢変化可能に支持する連結部と、記憶媒体が操作に応じて装填、取外しされ、装填された記憶媒体を駆動してアクセスする媒体ドライブを更に備え、該電子装置に、
利用者が当該電子装置を通常利用できる動作状態下での前記第１ユニットに対して前記第２面が対向する前記第２ユニットの姿勢を検出する手順と、
前記姿勢に応じて、前記媒体ドライブに対する操作および／または該媒体ドライブによる記億媒体の駆動を禁止する動作禁止モードを設定する手順と、を実行させるためのプログラム。
【請求項１５】
情報処理を実行する処理回路を内蔵した第１ユニットと、表示画面が設けられた第１面および該第１面に対向する第２面とを有する第２ユニットとを備えた電子装置で実行される制御プログラムにおいて、
前記電子装置は、前記第２ユニットを前記第１ユニットに対して姿勢変化可能に支持する連結部と、前記第１ユニットに設けられ、該第１ユニットに対して収容状態および突出状態に移動するユニットを有する拡張装置を更に備え、該電子装置に、
利用者が当該電子装置を通常利用できる動作状態下での前記第１ユニットに対して前記第２面が対向する前記第２ユニットの姿勢を検出する手順と、
前記姿勢に応じて、前記拡張装置のユニットを前記収容状態から前記突出状態への移動、を禁止する動作禁止モードを設定する手順と、を実行させるためのプログラム。
【発明の詳細な説明】
【技術分野】
【０００１】
本発明は、第１ユニットと、第１ユニットに対し開閉自在に支持する連結部を介して連結された第２ユニットとを備えた電子装置およびその電子装置で実行されるプログラムに関する。特に、前記第１ユニットがキーボードを有し、連結部が前記第１ユニットに対し第２ユニットを開閉自在かつ回動自在に指示する電子装置およびその電子装置で実行されるプログラムに関する。
【背景技術】
【０００２】
従来より、キーボードを有する第１ユニットと表示画面を有する第２ユニットが開閉自在な連結部を介して連結され使用時には第１ユニットに対し第２ユニットを立てた位置に開き、不使用時には表示画面がキーボード上に重なるように折り畳んでおく、いわゆるノート型パーソナルコンピュータ（以下、ノートＰＣと略記する）が広く知られている。
【０００３】
また、近年では、上面に表示画面を有し全体が１つの板状に形成され、表示画面にペンを近接もしくは接触させてその近接もしくは接触位置を認識させることにより指示を入力する形式の、いわゆるタブレット型パーソナルコンピュータ（以下、タブレットＰＣと略記する）が登場してきている。
【０００４】
ここで、近年のノートＰＣには、ＣＤやＤＶＤといった光ディスクが装填されその装填された光ディスクをアクセスする光ディスクドライブが搭載されているものも多い。
【０００５】
光ディスクドライブは、そこに装填されている光ディスクの盗難が問題となり、盗難防止等の観点からそこに装填されている光ディスクの取り出しを禁止したり、特定のユーザにのみ取出しを許可する技術が知られている（特許文献１、２、３参照）。
【０００６】
さらに近年では、第１ユニットと第２ユニットを、開閉自在かつ回動自在に支持する二軸の連結部を介して連結し、表示画面（第２ユニット）を立ててノートＰＣとして使用可能であるとともに第２ユニットを第１ユニット上に表示画面を上向きとした状態に重ねてタブレットＰＣとしても使用可能な電子装置が登場してきている（特許文献４参照）。
【特許文献１】特開平７−３７３２０号公報
【特許文献２】特開平９−９１９３３号公報
【特許文献３】特開２００１−２８２６２０号公報
【特許文献４】特開平１１−３１２８７６号公報
【発明の概要】
【発明が解決しようとする課題】
【０００７】
上記のノートＰＣとタブレットＰＣとの双方の使用態様を有する電子装置の場合も、従来の多くのノートＰＣと同様、光ディスクドライブを搭載することがユーザの便宜となる。しかしながら光ディスクドライブはそこに装填されている光ディスクの回転軸が垂直であるかあるいは水平である必要があり、その回転軸が垂直あるいは水平から傾くとうまく駆動できず、装填されている光ディスクを破損し、あるいは光ディスクドライブ自体を破損してしまう恐れがある。このノートＰＣとタブレットＰＣとの併用の電子装置をノートＰＣとして使用するときは、その電子装置は机上に置かれ光ディスクドライブが光ディスクを正しい向きで安定的に回転させる（通常は垂直な回転軸のまわりに回転させる）ことができ通常のノートＰＣと同様何ら問題はないものの、この電子装置をタブレットＰＣとして使用する場合、タブレットＰＣは通常は一方の腕に抱えられもう一方の手に持ったペンで操作されるため、その電子装置の姿勢が安定せず光ディスクドライブの回転軸が垂直あるいは水平に保たれることは全く保証できない。
【０００８】
上述の光ディスクの盗難防止の技術は取出しの操作を不能とするものであって、装填されている光ディスクの安定的な駆動や光ディスクあるいは光ディスクの破損の回避という点からは無関係である。
【０００９】
本発明は、上記事情に鑑み、２つの使用態様を有する電子装置において、光ディスク等の記憶媒体を装填してアクセスする媒体ドライブを備え、記憶媒体や媒体ドライブの破損が防止が図られた電子装置およびその電子装置で実行されるプログラムを提供することを目的とする。
【課題を解決するための手段】
【００１０】
上記目的を達成する本発明の電子装置のうちの第１の電子装置は、第１ユニットと、第１ユニットに対し開閉自在に支持する連結部を介して連結された第２ユニットとを備えた電子装置において、
記憶媒体が操作に応じて装填、取外しされ、装填された記憶媒体を駆動してアクセスする媒体ドライブと、
上記第１ユニットに対する第２ユニットの姿勢に応じて、媒体ドライブに対する操作および／または媒体ドライブによる記憶媒体の駆動を禁止する動作禁止モードを設定あるいは解除する動作禁止部とを備えたことを特徴とする。
【００１１】
本発明の第１の電子装置は、上記動作禁止部を備え、第１ユニットに対する第２ユニットの姿勢に応じて媒体ドライブによる記憶媒体の駆動を禁止したため、机に置かれ安定的な駆動が期待できる姿勢のときは記憶媒体の駆動を許可し、不安定な姿勢となるおそれがあるときは記憶媒体の駆動を禁止することにより、記憶媒体や媒体ドライブの破損が防止される。および／または、媒体ドライブに対する操作、例えば既に装填されている記憶媒体取出しの操作を禁止したため、腕にかかえて使用している途中で腹部や腕等により不用意な操作が行なわれて記憶媒体が不用意に飛び出して落下し破損することなどの事故が防止される。
【００１２】
ここで、上記本発明の第１の電子装置において、第１ユニットは第３ユニットに着脱自在に装着可能であり、上記動作禁止部が、上記姿勢に応じるとともに第１ユニットの第３ユニットへの着脱に応じて、動作禁止モードを設定あるいは解除するものであってもよく、あるいは、第１ユニットが第３ユニットに着脱自在に装着可能であり、上記動作禁止部が、上記姿勢に応じることに代わり、第１ユニットの第３ユニットへの着脱に応じて、動作禁止モードを設定あるいは解除するものであってもよい。
【００１３】
不安定な姿勢になる可能性を検出して動作禁止モードを設定するには、上記のように第１ユニットに対する第２ユニットの姿勢と第３ユニットに対する第１ユニットの着脱とのいずれか一方、あるいはそれらの双方を検出することが有効である。
【００１４】
また、本発明の第１の電子装置において、上記動作禁止部により動作禁止モードが設定されている間、表示画面に媒体ドライブが使用不能である旨の表示を行なう表示部を備えることが好ましい。
【００１５】
ユーザは、この表示により現状を正しく認識することができ、正しい操作が可能となる。
【００１６】
さらに、本発明の第１の電子装置において、上記動作禁止部は、動作禁止モードにあるときに動作禁止モードの解除を指示する解除指示操作を受け付けて動作禁止モードを解除するものであることことが好ましい。
【００１７】
ユーザが自覚して媒体ドライブを利用したいという要望があるときにそれに応えるものである。
【００１８】
また、上記目的を達成する本発明の電子装置のうちの第２の電子装置は、第１ユニットと、その第１ユニットに対し開閉自在に支持する連結部を介して連結された第２ユニットとを備えた電子装置において、
上記第１ユニットに設けられ、その第１ユニットに対して収容状態および突出状態に移動するユニットを有する拡張装置と、
上記第１ユニットに対する上記第２ユニットの姿勢に応じて、上記拡張装置のユニットを上記収容状態から上記突出状態への移動を禁止する動作禁止モードを設定あるいは解除する動作禁止部とを備えたことを特徴とする。
【００１９】
また、上記目的を達成する本発明のプログラムのうちの第１のプログラムは、第１ユニットと、その第１ユニットに対し開閉自在に支持する連結部を介して連結された第２ユニットとを備えた電子装置で実行される制御プログラムにおいて、
上記電子装置は、記憶媒体が操作に応じて装填、取外しされ、装填された記憶媒体を駆動してアクセスする媒体ドライブを更に備え、その電子装置に、
第１ユニットに対する上記第２ユニットの姿勢を検出する手順と、
上記姿勢に応じて、媒体ドライブに対する操作および／またはその媒体ドライブによる記億媒体の駆動を禁止する動作禁止モードを設定あるいは解除する手順と、
を実行させるためのプログラムである。
【００２０】
さらに、上記目的を達成する本発明のプログラムのうちの第２のプログラムは、第１ユニットと、その第１ユニットに対し開閉自在に支持する連結部を介して連結された第２ユニットとを備えた電子装置で実行される制御プログラムにおいて、
上記電子装置は、上記第１ユニットに設けられ、その第１ユニットに対して収容状態および突出状態に移動するウイニットを有する拡張装置を更に備え、上記電子装置に、
第１ユニットに対する第２ユニットの姿勢を検出する手順と、
上記姿勢に応じて、拡張装置のユニットを収容状態から突出状態への移動、を禁止する動作禁止モードを設定あるいは解除する手順と、
を実行させるためのプログラムである。
【発明の効果】
【００２１】
以上説明したように、本発明によれば記憶媒体が不安定な姿勢で駆動されることが禁止され、記憶媒体や媒体ドライブの破損が防止される。および／または、操作ドライブが不用意に操作されることが防止され、記憶媒体が不用意に取り出され落下して破損するという事態が回避される。
【図面の簡単な説明】
【００２２】
【図１】電子装置の外観斜視図である。
【図２】図１と同じ電子装置の、光ディスクドライブ２６が開いた状態を示した外観斜視図である。
【図３】図１，図２に示す電子装置に付属するポートリプリケータの外観斜視図である。
【図４】図１に示す電子装置の第１ユニットが図３に示すポートリプリケータと結合した状態を示す外観斜視図である。
【図５】ポートリプリケータに載せたまま第２ユニット３０を第１ユニット１０上に閉じた状態の電子装置を示す外観斜視図である。
【図６】第２ユニットを第１ユニットに対しほぼ９０°回わした状態を示す外観斜視図である。
【図７】第２ユニットが表示画面を上に向けて第１ユニットに重ねられた状態を示す外観斜視図である。
【図８】第１ユニット（図１参照）に備えられた係止ユニットを示す斜視図である。
【図９】第２ユニットに備えられた留め具ユニットの斜視図である。
【図１０】留め具ユニットを構成する留め具部材の斜視図である。
【図１１】留め具ユニットを構成するカバー部材を、一部を切り取って並べて示した図である。
【図１２】もう１つの例の留め具ユニットの斜視図である。
【図１３】留め具ユニットを構成する留め具部材を示す図である。
【図１４】カバー部材を示す図である。
【図１５】留め具ユニットの組立て手順の説明図である。
【図１６】図１に示す電子装置の連結部の周辺を示す拡大図である。
【図１７】図１６に示す状態から第２ユニット（表示画面）を１８０°回わし第２ユニット３０の背面をキーボード側に向けた状態を示した図である。
【図１８】第１ユニットに対し第２ユニットを１８０°開いた状態を示す図である。
【図１９】図１に示す電子装置の第２ユニットの、組立前の背面カバーと表示パネルの右上隅の部分を示した図である。
【図２０】図１９と同じ部分であって、アンテナおよび取付部品を正規の位置に配置した状態を示した図である。
【図２１】図１９，図２０と同じ部分であって、アンテナおよび取付部品と、さらに表示パネルを正規の位置に配置した状態を示した図である。
【図２２】表示パネルの左下の部分の固定構造を示す図である。
【図２３】表示パネルの左下の部分の固定構造を示す図である。
【図２４】表示パネルの左下の部分の固定構造を示す図である。
【図２５】表示パネルの左下の部分の固定構造を示す図である。
【図２６】図１に示す電子装置の第１ユニットの底カバーの一部と、その底カバー上に配備される回路基板を示した図である。
【図２７】ＤＣ−ＤＣコンバータの概略ブロック図である。
【図２８】底カバー側から見た、底カバーと外付コイルとの位置関係を示す図である。
【図２９】図１に示す電子装置の、光ディスクドライブの制御に関する回路ブロック図である。
【図３０】検出結果が変化したときに本体システム内のＣＰＵで動作するプログラムの概略フローチャートである。
【図３１】光ディスクドライブの使用禁止、禁止解除の機能を利用するか否かを設定する設定画面を示す図である。
【図３２】光ディスクドライブが使用禁止状態に移行したときに表示される画面例を示す図である。
【図３３】光ディスクドライブが現在使用禁止状態にあることを表わす画面例を示す図である。
【図３４】光ディスクドライブの使用禁止を強制解除するときの画面例を示す図である。
【図３５】図３４（Ｂ）に示すように、光ディスクドライブの使用禁止を強制解除しようとしたときに表われる画面例を示す図である。
【図３６】光ディスクドライブが使用禁止が強制解除になったことを通知する画面例を表わす図である。
【図３７】タブレットモードにあるときに光ディスクドライブを使用禁止するという機能自体を無効にしようとしたときの警告画面を表わす図である。
【発明を実施するための形態】
【００２３】
以下、本発明の一実施形態である電子装置について説明する。
【００２４】
［外観］
図１は、電子装置の外観斜視図である。
【００２５】
この電子装置１０は、第１ユニット２０と第２ユニット３０を備えており、これら第１ユニット２０と第２ユニット３０は、第２ユニット３０が第１ユニット２０に対し矢印Ａ−Ａ方向に開閉自在および矢印Ｂ−Ｂ方向（垂直な回動軸のまわり）に回動自在となるように、二軸の連結部４０で連結されている。この図１には第２ユニット３０が第１ユニット２０に対し開いた状態（開状態）にある電子装置が示されている。
【００２６】
第１ユニット２０には、その上面を覆う上カバー７３に、キーボード２１、トラックパッド２２、左クリックボタン２３、右クリックボタン２４、および、第２ユニット３０を閉じたときにその第２ユニット３０を係止する係止ユニット２５が備えられている。この係止ユニット２５には、第２ユニット３０側の留め具が入り込む係止穴２５１と、その係止穴に入り込んだ留め具の係止を解除する係止解除ボタン２５２が設けられている。この係止ユニット２５の詳細は後述する。また、その第１ユニット２０の側面には、ＣＤやＤＶＤ等の光ディスクを搭載して駆動しアクセスする光ディスクドライブ２６の開閉蓋２６１が外面にあらわれており、その開閉蓋２６１には、それを押すことによってその開閉蓋２６１が開くイジェクトボタン２６２が備えられている。
【００２７】
図２は、図１と同じ電子装置の、光ディスクドライブ２６が開いた状態を示した外観斜視図である。
【００２８】
その光ディスクドライブ２６の開閉蓋２６１に備えられたイジェクトボタン２６２を押すとその光ディスクドライブ２６のトレーが図２に示すように突出することができ、それに光ディスクを搭載させ、あるいは搭載されている光ディスクを取り出すことができる。
【００２９】
図１に戻ってさらに説明を続ける。
【００３０】
図１に示す電子装置１０の第２ユニット３０は、その前面に表示窓６３１を有する前面カバー６３を有し、その表示窓６３１には、内蔵された表示パネル６１（図１９〜図２１等参照）の表示画面６１１が広がっている。ここでは、表示窓６３１から覗いた状態の表示画面６１１を表示窓６３１と区別せずに指し示すときは、表示画面３１と称する。またこの第２ユニット３０には、その表示画面３１よりも下にいくつかの押ボタン３２が設けられ、表示画面３１よりも上には、この第２ユニット３０を閉じたときに第１ユニット２０の係止ユニット２５に係止する留め具を備えた留め具ユニット３３が備えられている。詳細は後述するが、この留め具ユニット３３には２つの留め具があり、図１では、表示画面側の開口３３１ａから、２つの留め具のうちの１つの留め具３３２ａが突出している。
【００３１】
図３は、図１，図２に示す電子装置に付属するポートリプリケータの外観斜視図、図４は、図１に示す、開状態にある電子装置の第１ユニットが図３に示すポートリプリケータと結合した状態を示す外観斜視図である。
【００３２】
ポートリプリケータ５０は、図３に示すように、上面に第１ユニット２０と電気的に結合するためのコネクタ５１を備えており、背面に複数のＩ／Ｏ端子（図示せず）を備えている。このポートリプリケータ５０は、図４に示すようにその上に第１ユニット２０が乗せられることによりそのポートリプリケータ５０のコネクタ５１と第１ユニット２０の底面に備えられているコネクタ（図示せず）とが結合し、第１ユニット２０とポートリプリケータ５０との間で信号のやりとりが行なわれる。第１ユニット２０自体にもＩ／Ｏ端子が備えられているが、このポートリプリケータ５０は、そのＩ／Ｏ端子の数を拡張する機能を有している。ポートリプリケータ５０に様々なＩ／Ｏ機器を接続しておき、この電子装置１０をノートＰＣとして使用する（ここではこれをノートＰＣモードと称する）場合には、図４に示すようにしてそのポートリプリケータ５０上に第１ユニットが２０が乗せられた状態で使用される。ただし、ポートリプリケータ５０に接続されているＩ／Ｏ機器を使用する必要がないときは、ポートリプリケータ５０から外し図１に示す状態のままでも使用可能である。
【００３３】
図５は、ポートリプリケータに載せたまま第２ユニット３０を第１ユニット２０上に閉じた状態の電子装置を示す外観斜視図である。
【００３４】
ここでは、第２ユニット３０は、表示画面３１（図１参照）を第１ユニット２０に向けて重ねられた状態にある。ここではこれを第１の閉状態と称する。
【００３５】
図５に示すように、閉状態における第１ユニット２０に係止する留め具ユニット３３は、第２ユニット３０の背面側にも開口３３１ｂを有する。この留め具ユニット３３の詳細については後述する。
【００３６】
図６は、第２ユニットを第１ユニットに対しほぼ９０°回動させた状態を示す外観斜視図である。
【００３７】
第２ユニット３０を、この状態を経由し、さらに表示画面３２がキーボード２１とは反対側を向くように回すことができる。
【００３８】
図７は、第２ユニットが表示画面を上に向けて第１ユニット重ねられた状態を示す外観斜視図である。
【００３９】
第２ユニット３０を、図６に示す姿勢を経由してさらに表示画面３１がキーボード２１とは反対側を向くように回わし、その状態で、その第２ユニット３０の、表示画面３１に対する裏面を第１ユニット２０に向けて第２ユニット３０を第１ユニット２０に重ねると、図７に示す状態となる。ここでは、この状態を第２の閉状態と称する。この第２の閉状態は、この電子装置１０をタブレットＰＣとして使用する形態であり、ここではこれをタブレットモードと称する。このタブレットモードでは、この電子装置１０は、ポートリプリケータ５０（図３参照）からは取り外された状態で使用される。
【００４０】
ここで、この表示画面３１は、ペンの接触あるいは近接位置を検出するペン入力機能付きの表示画面であり、通常は、このタブレットモードにある電子装置１０を一方の腕にかかえ、他方の手にペン（図示せず）を持って表示画面を操作するという使用態様が採用される。このタブレットモードにある電子装置１０を腕にかかえたときの視線との関係から、図１に示すノートＰＣモードと比べ、表示画面３１上の表示画像は９０°その向きが回転している。
【００４１】
ここで、図７に示すタブレットモードの電子装置１０には、その第２ユニット３０に留め具ユニット３３の開口３３１ａが示されている。この開口３３１ａは表示画面３１と同じ側にある開口であり、図１にもその開口３３１ａが示されている。ただし図１ではその開口３３１ａから留め具３３２ａが突出しているが、図７に示すタブレットモードではその開口３３１ａからの留め具の突出はない。この図７に示す状態では、第２ユニット３０の背面側の開口３３１ｂ（図５参照）から別の留め具が突出し、その留め具が図１に示す係止穴２５１に入り込んで係止された状態にあり、係止解除ボタン２５２が操作されない限り、第２ユニット３０は第１ユニット２０に、図７に示す姿勢で係止されたままとなり、全体として１つの板状の筐体を持つタブレットＰＣとして使用することができる。
【００４２】
［係止ユニットおよび留め具ユニット］
図８は、第１ユニット（図１参照）に備えられた係止ユニット２５を示す平面図である。
【００４３】
この係止ユニット２５には、係止穴２５１が形成されており、その係止穴２５１の中央には係止突起２５３が横から張り出している。またこの係止穴２５１に隣接して、係止解除ボタン２５２が形成されている。この係止解除ボタン２５２および係止突起２５３は１つの部品（ここでは係止部品と称する）で形成されており、その中央部分が係止穴２５１となっている。この係止部品は、枠部品２５４に収容されバネ２５５で係止解除ボタン２５２が突出する方向に付勢されている。
【００４４】
係止突起２５３の上面はテーパ状に形成されており、係止穴２５１に第２ユニット（図１参照）に備えられた留め具ユニット３３の留め具（例えば図１に示す留め具３３２ａ）が入り込むとその留め具が係止突起２５３の上面のテーパを押しそれによって係止部品がバネ２５５を縮める方向にスライドして留め具が隙き間２５１ａからその係止突起よりも下に入り、バネ２５５の付勢により係止解除ボタン２５２が再び突出して留め具が係止突起の下に入り込みその係止突起２５３により留め具が係止される。係止解除ボタン２５２を押すと、その係止部品がバネ２５５を縮める方向に移動し、留め具を隙き間２５１ａから外してその留め具を係止穴２５１から取外すことができる。
【００４５】
図９は、第２ユニット３０に備えられた留め具ユニットの斜視図、図１０は、その留め具ユニットを構成する留め具部材の斜視図、図１１は、その留め具ユニットを構成するカバー部材を、一部を切り取って並べて示した図である。
【００４６】
この留め具ユニット３３は、留め具部材３３２とカバー部材３３３とから構成されている。ここでは先ず留め具部材３３２について説明する。
【００４７】
図１０（Ａ），（Ｂ）は、留め具部材３３２の一方の面（Ａ）ともう一方の面（Ｂ）を示している。図１０（Ａ），（Ｂ）に示すように、この留め具部材３３２は両面とも同一に形成されている。
【００４８】
この留め具部材３３２には、互いに９０°向きが異なる第１の留め具３３２ａと第２の留め具３３２ｂが設けられており、また、それらの境界部分に回転軸となる突起３３２ｃが形成されている。また、２つの留め具部材３３２には、その突起３３２ｃから等距離の位置に２つの凹部３３２ｄ，３３２ｅが形成されており、それら２つの凹部３３２ｄ，３３２ｅは、それら２つの凹部３３２ｄ，３３２ｅよりも浅い円弧状の溝３３２ｆで繋がれている。
【００４９】
次にカバー部材３３３について説明する。
【００５０】
図１１（Ａ）は、カバー部材の一部を切り欠いて示した図、図１１（Ｂ）は、その切り欠いた部分の、カバー部材内側の面を示した図である。
【００５１】
このカバー部材３３３は、対向した２枚の板部３３３ａ，３３３ｂを有し、それら２枚の板部３３３ａ，３３３ｂには、図１０に示す留め具部材３３２の突起３３２ｃが入り込んでその留め具部材３３２を回動自在に支持する支持穴３３３ｃが形成されている。また、それら２枚の板部３３３ａ，３３３ｂには、内面に突出した凸部３３３ｄが形成されている。この凸部３３３ｄは、カバー部材３３３に留め具部材３３２を組み込んだとき、その留め具部材３３２に形成された第１の凹部３３２ｄあるいは第２の凹部３３２ｅに嵌入し、あるいはその留め具部材３３２を回動している途中においては、その凸部３３３ｄは、円弧状の溝３３２ｆに入り込んでいる。また、カバー部材３３３の両側には固定用の穴が設けられた鍔部３３３ｇが設けられている。
【００５２】
カバー部材３３３に留め具部材３３２を組み込むときは留め具部材３３２をカバー部材３３３の２枚の板部３３３ａ，３３３ｂの間に押し込む。そうするとその２枚の板部３３３ａ，３３３ｂが弾性的に少し押し広げられながら留め具部材３３２がそれら２枚の板部３３３ａ，３３３ｂの間に入り込み、回転軸となる突起３３２ｃが２枚の板部３３３ａ，３３３ｂの支持穴３３３ｃに入り込む。それと同時に、２枚の板部３３３ａ，３３３ｂの内面に設けられた凸部３３３ｄが、留め具部材３３２の第１の凹部３３２ｄあるいは第２の凹部３３２ｅに嵌入する。留め具部材３３２は、この状態で９０°回動させることができる。回動の途中ではカバー部材３３３の凸部３３３ｄは円弧状の溝３３２ｆに入り込むが、この溝３３２ｆは第１の凹部３３２ｄや第２の凹部３３２ｅよりも浅いため、回動の途中では２枚の板部３３３ａ，３３３ｂが外側に弾性的に膨らみ、その凸部３３３ｄが第１の凹部３３２ｄあるいは第２の凹部３３２ｅに入り込むときにクリック感を生じることになる。また、第１の凹部３３２ｄおよび第２の凹部３３２ｅが円弧状の溝３３２ｆよりも深いため、その凸部３３３ｄが第１の凹部３３２ｄあるいは第２の凹部３３２ｅに嵌入すると、カバー部材３３３が留め具部材３３２を安定的に支持した状態とになり、留め具部材３３２を回動させるにはある程度の力で回す必要がある。
【００５３】
ここで、このカバー部材３３３には、２枚の板部３３３ａ，３３ｂによって、図９に示す２つの開口３３１ａ，３３１ｂが形成されている。
【００５４】
それら２つの開口３３１ａ，３３１ｂのうちの一方の開口３３１ａから第１の留め具３３２ａが突出するように留め具部材３３２を回動させると、図９（Ａ）に示すように、第１の留め具３３２ａが開口３３１ａから突出するとともに第２の留め具３３２ｂ（図９（Ｂ）参照）が２枚の板部３３３ａ，３３ｂ（図１参照）の間に収容された状態となり、この状態では、図１１に示す凸部３３３ｄが図１０に示す第１の凹部３３２ｄに嵌入した状態となる。
【００５５】
また図９（Ａ）の状態から第１の留め具３３２ａを回すよう操作すると、図１１に示す凸部３３３ｄが図１０に示す第１の凹部３３２ｄからクリック感を持って外れ、凸部３３３ｄが円弧状の溝３３２ｆの上を進み、９０°回転すると、図１１の凸部３３３ｄが図１０の第２の凹部３３２ｅにクリック感を持って嵌入する。このときには図９（Ｂ）に示すように、２つの開口３３１ａ，３３１ｂのうちの一方の開口３３１ｂから第２の留め具３３２ｂが突出するとともに、第１の留め具３３２ａは２枚の板部３３３ａ，３３ｂ間に収容された状態となる。
【００５６】
図４に示す開状態にある電子装置１０を図５に示す第１の閉状態に移すには、留め具ユニット３３の留め具部材３３２の第１の留め具３３２ａが表示画面３１側の開口３３１ａから突出するように回動しておき（図４参照）、第２ユニット３０を、その表示画面３１が第１ユニット２０側となるように第１ユニット２０の上に重ねる。そうすると、その第１の留め具３３２ａが第１ユニット２０に備えられた係止ユニット２５の係止穴２５１に入り込み、図８を参照して説明したようにしてその第１の留め具３３２ａが係止ユニット２５に係止され、第２ユニット３０が第１ユニット２０から開かない状態となる。前述したように、係止ユニット２５の係止解除ボタン２５２を押すと、第２ユニット３０を開くことができる。
【００５７】
また、図１に示す電子装置１０を図１に示す開状態から図７に示す第２の閉状態（タブレットＰＣモード）に移すときは、図１に示すような開状態にあるときに、留め具ユニット３３の留め具部材３３２の第２の留め具３３２ｂが第２ユニット３０の背面側の開口３３１ｂ（図５参照）から突出するように回しておき、第２ユニット３０を、その表示画面３１が第１ユニット２０に対し反対側に向くように回し、第２ユニット３０の背面が第１ユニット２０に重なるようにその第２ユニット３０を第１ユニット２０に重ねる。そうすると、今度はその第２の留め具３３２ｂが第１ユニット２０に備えられた係止ユニット２５の係止穴２５１に入り込んで係止され、図７に示すタブレットモードの状態に固定される。
【００５８】
ここで、留め具部材３３２は、第１の留め具３３１ａを突出させた姿勢と第２の留め具３３２ｂを突出させた姿勢との双方で安定的にカバー部材３３３に支持されるため、留め具部材３３２を指で回動した後その留め具部材３３２から指を離すことができ、ノートＰＣモード（図１参照）とタブレットモード（図７参照）との間の移行操作を片手で容易に行なうことができる。
【００５９】
次に、留め具ユニットのもう１つの例について説明する。
【００６０】
図１２は、もう１つの例の留め具ユニットの斜視図、図１３は、その留め具ユニットを構成する留め具部材を示す図、図１４は、カバー部材を示す図、図１５は、留め具ユニットの組立て手順の説明図である。
【００６１】
ここでは、図９〜図１１を参照して説明した留め具ユニットの各構成部分に対応する構成部分には、図９〜図１１において付した符号と同一の符号を付して示し、図９〜図１１に示す留め具ユニットとの相違点を中心に説明する。
【００６２】
図１２（Ａ），（Ｂ）は、前述の留め具ユニットの図９（Ａ），（Ｂ）に相当する図であり、その機能は前述の留め具ユニットと同一であり重複説明は省略するが、外観上の唯一の相違点として、図１２（Ａ），（Ｂ）には、軸部材３３４（図１５参照）の頭部３３４ａがあらわれている。この軸部材３３４については後述する。
【００６３】
留め具部材３３２は、図１３に示すように、第１の留め具３３２ａと第２の留め具３３２ｂとの境界部分に、軸部材３３４（図５参照）が挿通される軸受穴３３２ｇが形成されている。図１３（Ａ）に示す側の面には、その軸受穴３３２ｇの回りに、平ワッシャ３３５（図１５参照）が嵌入する円環状の凹部３３２ｈが形成されている。また、図１３（Ｂ）に示す側の面には、軸受穴３３２ｇを取り巻くように、２つの第１の凹部３３２ｄと２つの第２の凹部３３２ｅが形成されており、それら２つの第１の凹部３３２ｄと２つの第２の凹部３３２ｅはそれら第１の凹部３３２ｄおよび第２の凹部３３２ｅよりも浅い、円弧状の溝３３２ｆで結ばれている。第１の凹部３３２ｄおよび第２の凹部３３２ｅは、２つずつ形成されていること、および留め具部材３３２の一面にのみ形成されているという点で、図９〜図１１を参照して説明した留め具ユニットの留め具部材とは異なるが、その作用は同一であり、詳細説明は省略する。
【００６４】
図１４は、ここで説明している留め具ユニットを構成するカバー部材を示す図であって、図１４（Ａ）は、２枚の板部３３３ａ，３３３ｂのうちの一方の板部３３３ｂを切り欠いて示した図、図１４（Ｂ）は、その切り欠いた側の板部３３３ｂの、内側の面を示した図である。この図１４は、前述の留め具ユニットに関する図１１に相当する図である。
【００６５】
図１１に示すカバー部材との相違点の１つは、２枚の板部３３３ａ，３３３ｂのうちの一方の板部３３３ａにのみ、図１３に示す第１の凹部３３２ｄあるいは第２の凹部３３２ｅに嵌入する凸部３３３ｄが設けられており、かつその凸部３３３ｄは、第１の凹部３３２ｄ，第２の凹部３３２ｅがそれぞれ２つずつ形成されることに対応して、２つ形成されている点である。またもう１つの相違点は、もう一方の板部３３３ｂの内側の面の、支持穴３３３ｃの両側に溝３３３ｇが形成されている点である。この溝３３３ｇは、留め具部材３３２を回動させる際にそれら２本の溝３３３ｇに挟まれた部分がある程度変形して、波形ワッシャ３３６（図１５参照）のバネの作用を和らげるためのものである。
【００６６】
この留め具ユニットを組み立てるにあたっては、図１５に示すようにカバー部材３３３の間に、留め具部材３３２と、平ワッシャ３３５と、バネとして作用する波形ワッシャ３３６を嵌め込む。このとき、留め具部材３３２は、図１３（Ｂ）に示す側の面が板部３３３ａの側を向くように配置する。このように嵌め込んでおいて、それらを軸部材３３４で貫通する。その軸部材３３４の先端部３３４ｂはＥリング３３７が嵌合する形状となっており、軸部材３３４の、貫通して突出した先端部３３４ｂにＥリングが嵌められることにより軸部材３３４が抜け止めされる。
【００６７】
この構造の留め具ユニットの場合、波形ワッシャ３３６がバネとして作用するため、カバー部材３３３自体のバネ性を期待する必要がなく、材料の選定や設計の自由度が向上する。
【００６８】
[開閉センサ］
図１に示すノートＰＣモードにある電子機器１０を、電源が入った状態のまま図５に示す第１の閉状態に閉じると、中の回路はスタンバイ状態に移行し、また、図１に示すノートＰＣモードにある電子機器１０を、図７に示す第２の閉状態に閉じるとノートＰＣモードにおける表示画面３１上の画像の向きが９０°回転し、タブレットモードに移行する。このような機能を実現するために、図１に示す電子装置１０には、開閉を検知する開閉センサが備えられている。ここではその開閉センサについて説明する。
【００６９】
図１６は、図１に示す電子装置１０の連結部４０の周辺を示す拡大図である。
【００７０】
この図１６には、その電子装置１０が、図１に示すような、開状態にあってしかも表示画面３１がキーボード２１側を向いた状態における、キーボード２１の奥の部分と表示画面の下の部分のカバーを外した状態が示されている。
【００７１】
第１ユニット２０のキーボード２１よりも奥側の、連結部４０の、第２ユニット３０を回動させるための回動軸４１に隣接した位置に、第１の磁気センサ２７１および第２の磁気センサ２７２を搭載した回路基板２８が備えられている。ここでは、第１の磁気センサ２７１および第２の磁気センサ２７２の双方を１つの回路基板２８に搭載することにより、第１の磁気センサ２７１と第２の磁気センサ２７２の相対位置の管理を容易にし、かつ回路基板を１つで済ませることによりコストダウンを図っている。
【００７２】
この回路基板２８には、さらに、それら第１の磁気センサ２７１および第２の磁気センサ２７２の検出信号を第１ユニット２０の内部の回路に伝えるためのコネクタ２７３が搭載されている。このコネクタ２７３は、第１ユニット２０の内部の回路から延びるリード線の先端に接続されたコネクタ２９と組み合い、第１の磁気センサ２７１および第２の磁気センサ２７２の検出信号が両コネクタ２７３，２９を介して第１ユニット２０の内部の回路に伝達される。
【００７３】
また、第２ユニット３０の、表示画面３１の下の、この第２ユニット３０が図５に示すように閉じられたときに第１の磁気センサ２７１上に重なる位置に、第１の磁石３４１が配備されている。ここで、第１の磁石３４１はケース３４１ａに入っていてそのケース３４１ａの表示画面３１が向いた側の開口から露出するように配置されており、表示画面３１が向いた側に強い磁力を持っている。
【００７４】
したがって、この電子機器１０を、図１に示す開状態から、第２ユニット３０が第１ユニット２０に表示画面３１を向けて重ねることにより図５に示す第１の閉状態に移行すると、第１の磁気センサ２７１の上に第１の磁石３４１が重なり、第１の磁気センサ２７１がその磁力を検出して第１の閉状態になったことが検出される。
【００７５】
また、この第１の磁石３４１に対し、回動軸４１を挟んだ反対側には、第２の磁石３４２が配備されている。第２の磁石３４２は、ここではケース３４２ａの背面が示されていて、そのケース３４２ａに収容されている。このケース３４２ａは、表示画面３１の背面側に開口（図示せず）を有し第２の磁石３４２はその開口から表示画面の背面側に向かって露出している。したがって、この第２の磁石３４２は表示画面の後ろ向きに強い磁力を持っているれ
ここでは、第２の磁石３４２の位置を示すために回路基板３５を持ち上げて示しているが、この回路基板３５は、第２の磁石３４２が収容されたケース３４２ａの背面が隠れる位置に配置される回路基板である。
【００７６】
図１７は、図１６に示す状態から、第２ユニット３０（表示画面３１）を１８０°回し第２ユニット３０の背面をキーボード２１側に向けた状態を示している。
【００７７】
図１７に示すように第２ユニット３０の背面を第１ユニット２０側に向けると、第２の磁石３４２は、第２の磁気センサ２７２に対応した位置に移動する。この第２ユニット３０の背面カバーは磁気的にはそこに何も存在しないときとほぼ同程度に磁力をそのまま透過する材質のものであり、第２ユニット３０の背面カバー（表示画面３１に対する背面）を第１ユニットに向けて第２ユニット３０を第１ユニット２０に重ねると、第２の磁気センサ２７２の上にこの背面側に強い磁力を有する第２の磁石３４２が重なり、第２の閉状態（タブレットモード）への移行が検出される。
【００７８】
図１８は、第１ユニット２０に対し第２ユニット３０を１８０°に開いた状態を示す図であり、図１８（Ａ）は左側面図、図１８（Ｂ）は平面図、図１８（Ｃ）は右側面図である。
【００７９】
ここに示す例では、第１ユニット２０の厚さ寸法は、２２ｍｍであり、第１の磁気センサ２７１および第２の磁気センサ２７２は、第１ユニット２０のキーボード側の表面から０．８ｍｍだけ奥まった位置にある。また、これら第１の磁気センサ２７１および第２の磁気センサ２７２の厚さ寸法は、いずれも２．２ｍｍである。このように、これら第１の磁気センサ２７１および第２の磁気センサ２７２は、第１ユニット２０の厚みの中の、キーボード側の面に寄った位置に配置されている。
【００８０】
また、ここに示す例では、第２ユニット３０の厚さ寸法は１２ｍｍであり、第１の磁石３４１は、その第２ユニット３０の表示画面３１側の表面から２ｍｍの深さ位置に配置されている。また、その第１の磁石３４１の厚さ寸法はケース３４１ａを含め５ｍｍである。このように第１の磁石３４１は、第２ユニット３０の厚みの中の表示画面３１が向いた側の表面に寄った位置に配置されている。
【００８１】
また、第２の磁石３４２は、第２ユニット３０の背面から０．８ｍｍの位置に配置されており、その第２の磁石３４２の厚み寸法はケース３４２ａを含め５ｍｍである。このように、この第２の磁石３４２は、第２ユニット３０の厚みの中の背面に寄った位置に配置されている。
【００８２】
したがって第１ユニット２０に表示画面３１を向けて第２ユニット３０を第１ユニット２０に重ねた第１の閉状態のときは、第１の磁気センサ２７１に第１の磁石３４１が十分に接近して第１の磁気センサ２７１に強い磁力を与え、第１ユニット２０に表示画面３１に対する背面を向けて第２ユニット３０を第１ユニット２０に重ねた第２の閉状態のときは第２の磁気センサ２７２に第２の磁石３４２が十分に接近して第２の磁気センサ２７２に強い磁力を与える。このように、この実施形態によれば、磁気センサに強い磁力を作用させることができ、Ｓ／Ｎの良い開閉センサが実現されている。
【００８３】
尚、ここに示す例では、第１の磁石３４１および第２の磁石３４２の残留磁束密度ＢｒはＢｒ＝０．４１〜０．４３（Ｔ）のものが用いられており、第１の閉状態に移行するときは、第１ユニット２０と第２ユニット３０の、連結部４０から一番離れた部分（係止ユニット２５と留め具ユニット３３の近傍）の開き寸法が１５ｍｍ〜３０ｍｍとなったときに第１の磁気センサ２７１により第１の磁石３４１の磁力が検知され、第２の閉状態に移行するときは、同じ部分の開き寸法が２０ｍｍ〜４０ｍｍとなったときに、第２の磁気センサ２７２により第２の磁石３４２の磁力が検知される。
【００８４】
また、第１の磁気センサ２７１および第２の磁気センサ２７２は、いずれもがキーボード２１よりも奥の連結部４０側にあるため、キーボード操作等の通常の使用状態ではそれらの磁気センサの位置に手首が置かれることは無く、ユーザが磁気ブレスレットを装着していても誤作動する危険性はほとんど皆無である。
【００８５】
［表示パネル固定構造］
図１９は、図１に示す電子装置１０の第２ユニット３０の、組立前の背面カバーと表示パネルの右上隅の部分を示した図である。この図１９において、アンテナ６４および取付部品６５は、背面カバー６２に組み込む前の状態を示しており、表示パネル６１も正規の取付位置から外れた位置に示されている。
【００８６】
また図２０は、図１９と同じ部分であって、アンテナ６４および取付部品６５を正規の位置に配置した状態を示した図、図２１は、図１９，図２０と同じ部分であって、アンテナ６４および取付部品６５と、さらに表示パネル６１を正規の位置に配置した状態を示した図である。
【００８７】
ここには、第２ユニット３０（図１参照）の構成要素のうち、表示画面６１１を有する表示パネル６１と、その表示パネル６１の背面を覆う背面カバー６２が示されている。この表示パネル６１の前面は、図１に示す前面カバー６３で覆われる。
【００８８】
また、図１９に示す様に、アンテナ６４は、取付部品６５に固定されている。この取付部品６５は、アンテナ６４の取付けに用いられるほか、表示パネル６１の取付けにも兼用されている。ここでは、その取付部品６５による、表示パネル６１の取り付け方を中心に説明する。
【００８９】
表示パネル６１は、ネジ止め用の取付穴６１２を有する。これに対し、背面カバー６２には、表示パネル６１を取り付けるためのネジ穴６２１ａを中央に有するボス６２１が立設している。ただし、このボス６２１は、表示パネル６１の取付穴６１２が正規に配置される位置とは異なる位置に設けられている。背面カバー６２の、表示パネル６１が正規の位置に配置されたときの取付穴６１２と同一の中心軸上には、位置決めピン６２２が設けられている。背面カバー６２には、そのほか、突起６２３が設けられ、さらに、中央にネジ穴６２４ａが形成されたボス６２４および中央にネジ穴６２５ａが形成されたボス６２５が立設している。
【００９０】
一方、アンテナ６４が固定された取付部品６５には、取付穴６５１と、位置決め穴６５２が設けられており、さらに、中央にネジ穴６５３ａが貫通したボス６５３を備えている。このボス６５３の中央に貫通したネジ穴６５３ａの底部の開口（図１９にあらわれている開口）は、背面カバー６２の位置決めピン６２２に嵌入する位置決め穴として利用され、ボス６５３の中央に貫通したネジ穴６５３ａの上部の開口（図２０にあらわれている開口）は、その上に表示パネル６１の取付穴６１２が配置されてネジ止めされるネジ穴として利用される。
【００９１】
この取付部品６５は、図２０に示すように配置される。すなわち、取付部品６５のボス６５３の中央に貫通したネジ穴６５３ａの底部開口を背面カバー６３に設けられ位置決めピン６２２（図１９参照）に嵌合させる。こうすることにより、背面カバー６２に立設したボス６２１の中央のネジ穴６２１ａの上に取付部品６５の取付穴６５１が配置され、背面カバー６２に設けられた突起６２３が取付部品６５の位置決め穴６５２に入り込む。ここで、取付部品６５の位置決め穴６５２は背面カバー６４の突起６２３が遊嵌するように大きめに形成されており、取付部品６５の取付穴６５１も背面カバー６２に立設したボス６２１中央のネジ穴６２１の径に対し大きめの寸法に形成されている。これに対し、取付部品６５のボス６５３の中央を貫通するネジ穴６５３ａの径と、背面カバー６２の位置決めピン６２２の寸法を合わせてあり、したがってこの取付部品６５のボス６５３の中央のネジ穴６５３ａが背面カバー６２の位置決めピン６２２に対し正確な位置に配置されることになる。
【００９２】
図２１に示すように、取付部品６５の取付穴６５３ａ（図２０参照）の上には、表示パネル６１の取付穴６１２（図２０参照）が置かれてネジ止めされる。このとき、表示パネル６１の取付穴６１２と、取付部品６５のボス６５３中央のネジ穴６５３ａと、背面カバー６２の位置決めピン６２２は、同一の中心軸上にある。
【００９３】
ここでは、上記のように、表示パネル６１の取付穴６１２から外れた位置に、背面カバー６２の、表示パネル６１を取り付けるためのボス６２１が設けられているが、背面カバー６２の、表示パネル６１が正規の位置に配置されたときの表示パネル６１の取付穴６１２と同一の中心軸上に位置決めピン６２２を立てておき、その位置決めピン６２２に取付部品６５の位置決め穴（ボス６５３中央のネジ穴６５３ａの底部の開口）を嵌入させ、その位置決め穴（底部の開口）と同一の中心軸上にあるネジ穴（ボス６５３中央のネジ穴６５３ａの上部の開口）に表示パネル６１の取付穴６１２をネジ止めすることにより、表示パネル６１は、高い位置精度で正規の位置に固定される。
【００９４】
ここには表示パネル６１は一種類のみ表示されているが、同一構造の背面カバーに、取付穴の位置が異なる別の種類の表示パネルが組み込まれることがある。その別の種類の表示パネルは、ボス６２４（図１９参照）中央のネジ穴６２４ａと同一の中心軸上に取付穴が存在し、その表示パネルを組み込むときは直接にネジ穴６２４ａにネジ止めされる。
【００９５】
ここで、図１９に示す、背面カバー６２の位置決めピン６２２の位置に、図１９に示すタイプの表示パネル６１をネジ止めするためのボスを立設すると、そのボスが、ネジ穴６２４ａに直接にネジ止めするタイプの表示パネルと干渉してしまい、ネジ穴６２４ａに直接にネジ止めするタイプ表示パネルを組み込むことができない。そこで、ここでは、図１９に示すタイプの表示パネル６１の取付穴６１２に対応する位置には位置決めピン６２２を立てておき、表示パネル６１を背面カバー６２に固定するためのネジ穴６２１ａを、別の位置に立設させたボス６２１に設けておき、その途中を取付部品６５で繋ぐように構成したのである。取付部品６５で繋ぐにあたり、上述したように背面カバー６２の位置決めピン６２２に、取付部品６５のボス６５２中央のネジ穴６５３ａを嵌め込むように構成したため、背面カバー６２に立設したボス中央のネジ穴に直接にネジ止めする構成と同程度に高い位置精度で固定することができる。
【００９６】
ここで、ボス６２４中央のネジ穴６２４ａに直接ネジ止めするタイプの表示パネルを組み込むときは、アンテナ６４を固定する取付部品として、図１９に示す構造の取付部品６５に代えて、ボス６５３やそのボス６５３を固定している板金部分のない取り付け金具が用いられる。これは、背面カバー６２の位置決めピン６２２の位置にボスを立てるとボス６２４中央のネジ穴に直接ネジ止めするタイプの表示パネルが干渉してしまうことと同じ理由により、その部分にまで取付部品が広がっていると表示バネルの組み込みの邪魔になるからである。
【００９７】
図１９〜図２１に示すもう１つのボス６２５は、前カバー６３（図１参照）を固定するためのものである。
【００９８】
図１９〜図２１は、表示パネルの右上の部分の固定構造を示した図であるが、表示パネルの左上の部分の固定構造は、アンテナが存在しない点を除き右上の部分の構造とほぼ同様であり、重複説明になるためここでは右上の部分については図示および説明は省略する。
【００９９】
図２２〜図２５は、表示パネルの左下の部分の固定構造を示す図である。
【０１００】
これら図２２〜図２４のうち、図２２には、背面カバーと取付部品の構造が示されており、図２３には、その取付部品を使って表示パネルを固定した状態が示されている。また、図２４には、別のタイプの表示パネルを取り付けるための別のタイプの取付部品の構造が示されており、図２５には、図２４に示す取付部品を使って、図２３に示す表示パネルとは別のタイプの表示パネルと固定した状態が示されている。
【０１０１】
図２３に示すように、背面カバー６２には、取付部品６６をネジ止めするためのネジ穴が中央に設けられたボス６２６が立設しており、さらに２つの位置決めピン６２７，６２８が設けられている。この背面カバー６２には、さらに、中央にネジ穴６２９ａが形成されたもう１つのボス６２９と突起６３０が設けられているが、これらは後述するように別の部品取付用のものであり、表示パネルの固定とは無関係である。
【０１０２】
背面カバー６２に設けられた２つの位置決めピン６２７，６２８のうちの一方の位置決めピン６２７は、正規の位置に配置したときに丁度この位置決めピン６２７と同一の中心軸上に取付穴が配置される表示パネルを取り付けるための位置決めピンであり、もう一方の位置決めピン６２８は、正規の位置に配置したときに丁度その位置決めピン６２８と同一の中心軸上に取付穴が配置される表示パネルを取り付けるための位置決めピンである。
【０１０３】
図２２に示す取付部品６６は、背面カバー２２のボス６２６の中央のネジ穴（図示せず）にネジ止めされる取付穴（ここでは既にネジ止めされており取付穴はそのネジの下に隠れている。）と、背面カバー６２の位置決めピン６２７に嵌入する位置決め穴６６１と、表示パネルの取付穴がネジ止めされるネジ穴６６２とを有する。ここで、この取付部品６６は２枚の板が上下に向き合うように折り曲げられた部分６６ａを有し、その部分６６ａの下側の板に位置決め穴６２７が形成され、上側の板にネジ穴６６２が形成されている。このネジ穴６６２は、位置決め穴６６１と同一の中心軸上にある。この取付部品６６も、位置決め穴６６１の径は位置決めピン６２７の径と合わせてあり、ネジ穴６６２の位置が高い位置精度で決まる。
【０１０４】
図２３は、図２２に示す取付部品６６のネジ穴６６２に取付穴がネジ止めされる表示パネル６１が示されており、その表示パネル６１の取付穴（既にネジ止めされているためそのネジに隠れている）と、図２２に示す、取付部品６６のネジ穴６６２と、位置決め穴６６１と、背面カバー６２の位置決めピン６２７が全て同一中心軸上にあり、表示パネル６１が高い位置精度でネジ止めされる。
【０１０５】
尚、図２３に示すように、背面カバー６２に設けられたもう１つのボス６２９および突起６３０（図２２参照）は、その上に別部品が配置され、さらにその上に前面カバー６３（図１参照）が配置されて、その前面カバー６３が、その別部品とともに、ボス６２９中央のネジ穴６２９ａにネジ止めされる。
【０１０６】
図２４に示す取付部品６７は、別の種類の表示パネル取付用の取付部品であり、図２２に示す取付部品６６と同様、背面カバー２２のボス６２６の中央のネジ穴（図示せず）にネジ止めされる取付穴（図２２の場合と同様、ここでは既にネジ止めされており、取付穴はそのネジの下に隠れている）が設けられている。またこの図２４に示す取付部品６７には、その取付部品６７の姿勢を保つために位置決めピン６６１が入り込む切り欠き６７１が形成されている。さらに、この取付部品６７には、中央にネジ穴６７２ａが貫通したボス６７２が備えられている。このボス６７２のネジ穴６７２ａの底部の開口は、背面カバー６２に設けられた位置決めピン６２８（図２２参照）が嵌入する位置決め穴として用いられ、そのネジ穴６７２ａの、図２４に示されている上部の開口は、表示パネルの取付穴をネジ止めするためのネジ穴として用いられる。
【０１０７】
図２５は、図２４に示す取付部品６７のボス６７２のネジ穴に取付穴がネジ止めされた表示パネル６１′が示されている。その表示パネル６１′の取付穴（既にネジ止めされているためそのネジに隠れている）と、図２４に示す取付部品６７のボス６７２のネジ穴６７２ａと、背面カバー６２の位置決めピン６２８が全て同一中心軸上にあり、表示パネル６１′が高い位置精度で固定される。
【０１０８】
ここで、図２２に示す、背面カバー６２の２つの位置決めピン６２７，６２８の位置にボスを立設していないのは、図１９に示す位置決めピン６２２の位置にボスを立設しないのと同じ理由であり、図２２に示す位置決めピン６２７の位置にボスを立てると図２５に示す表示パネル６１′と干渉してしまってその表示パネル６１′を組み込むことができず、図２２に示す位置決めピン６２８の位置にボスを立てると、図２３に示す表示パネル６１と干渉してしまってその表示パネル６１を組み込むことができないからである。ここでは、表示パネルの取付穴と同一の中心軸上に位置決めピン６２７，６２８を設け、位置決めピン６２７を図２２に示す取付部品６６の位置決め穴６６１に嵌入させ、あるいは位置決めピン６２８を図２４に示す取付部品６７のボス６７２のネジ穴６６２ａの底部開口に嵌入させる構成であるため、表示パネルの取付穴の位置とは異なる位置にボスを立ててネジ穴を設けても、表示パネル６１，６１′を高い位置精度で取り付けることができる。
【０１０９】
［外付コイルの配置］
図２６は、図１に示す電子装置１０の第１ユニット２０の底カバー７１の一部と、その底カバー上に配備される回路基板７２を示した図である。
【０１１０】
図１に示す電子装置１０の第１ユニット２０は、図２６に示す底カバー７１と、その底カバー７１上に配置される回路基板７２や図示しないその他の部品と、それらを上から覆う、キーボード２１（図１参照）などを含む上カバー７３（図１参照）とから構成されている。
【０１１１】
図２６に示すように、底カバー７１には、部品配置用のいくつかの開口７１１ａ，７１１ｂ，７１１ｃや空気流通用の空気穴７１２ａ，７１２ｂ，７１２ｃが設けられている。
【０１１２】
また、回路基板７２には、様々な多数の回路が搭載されているが、この回路基板７２にはそのうちの１つとして、ここに示す例では４つのＤＣ−ＤＣコンバータが搭載されており、図２６には、その他の多数の回路部品とともに、４つのＤＣ−ＤＣコンバータ用の、合計５つの外付コイル７２１が示されている。
【０１１３】
図２６には、底カバー７１の内側の面と、回路基板７２の、底カバー側の面が示されており、この回路基板７２は、図２６に示す矢印のように、図２６に示されている面が底カバー７１側を向くように底カバー７１上に配置される。
【０１１４】
図２７は、ＤＣ−ＤＣコンバータの概略ブロック図である。
【０１１５】
入力電圧Ｖｉｎには、この電子装置１０がＡＣ電源に接続されているときは１９Ｖ、バッテリ（図示せず）を使用しているときは１０．８Ｖの電圧の電力が供給されて、ゲート回路７２２に入力される。このゲート回路７２２は、コントロール回路７２１による制御の下で例えば２５０ｋＨｚ〜４００ｋＨｚ程度の周波数で入力電力をオンオフし外付コイル７２１を使って所定電圧のＤＣ電力Ｖｏｕｔを生成する。大電力を供給する必要のあるＤＣ−ＤＣコンバータの場合は、ゲート回路７２２や外付コイル７２１が並列に複数接続される。ＤＣ−ＤＣコンバータ自体は広く知られた技術であり、ここでは、このＤＣ−ＤＣコンバータは、例えば２５０ｋＨｚ〜４００ｋＨｚ程度の周波数で動作して電力を変換する回路であること、および外付コイル７２１を使用すること、の説明で足りるため、ここでのＤＣ−ＤＣコンバータに関するこれ以上の詳細説明は省略する。
【０１１６】
ここで、表示パネル６１（図１９〜図２１等を参照）は、前述したように、ペン入力機能付きの表示パネルであり、ペンとの間で高周波による通信を行なっているため、外部からの、特に２７０ｋＨｚ〜３００ｋＨｚの周波数やその近傍の周波数のノイズに弱い。これに対し、ＤＣ−ＤＣコンバータはその近傍の周波数で動作し外付コイル７２１がアンテナとなってその周波数帯域のノイズを発生する。
【０１１７】
この電子装置１０には、通常の使用態様として、図１に示すように第２ユニット３０（表示画面３１）を立てて使用するノートＰＣモードと、図７に示すように表示画面３１を上にに向けて使用するタブレットモードとが想定されており、ノートＰＣモードでは、表示画面３１は第１ユニット２０内の回路基板とは離れており、その回路基板のノイズ源がその表示画面に悪影響を及ぼすおそれは小さい。また図７に示すタブレットモードにおいても、第１ユニット２０内の回路基板は表示画面３１の背面側に位置しているため、その回路基板からのノイズは表示画面３１には伝わりにくい。ところが、これらノートＰＣモードとタブレットモードのほか、外部にキーボードや表示モニタ等を接続し、この電子装置自体は図５に示すように閉じた状態で使われることがある。この使用態様の場合、第１ユニット２０内の回路基板は、表示画面３１の前面に位置することになり、また第１ユニット２０の上面にはキーボード２１等が配置されていて十分なシールド等を行なうことができない。
【０１１８】
そこでここでは、図２６に示すように、ＤＣ−ＤＣコンバータの外付コイル７２１を回路基板７２の底カバー７１側を向いた面に搭載する。この外付コイル７２１は、回路基板７２の、その外付コイル７２１が搭載された側には強いノイズを発生させるが、その回路基板７２の、その外付コイル７２１が搭載された面に対する裏面側にはかなり減衰されたノイズしか伝わらない。ここでは、ＤＣ−ＤＣコンバータの外付コイル７２１を回路基板７２の底カバー７１側を向いた面に搭載したため、この電子装置が図５に示すように閉じた状態で使用されても、外付コイル７２１からのノイズによる誤動作が防止される。
【０１１９】
尚、ここに示す例では、５個の外付コイル７２１の全てが回路基板７２の底カバー７１側の面に搭載されているが、ＤＣ−ＤＣコンバータで使用される周波数を、表示パネル６１が誤動作しやすい周波数帯域である２７０ｋＨｚ〜３００ｋＨｚから大きく外すことができるときは、そのＤＣ−ＤＣコンバータの外付コイルは必ずしも回路基板７２の底カバー側に搭載される必要はない。ここに示す例では、５つの外付コイル７２１のうち２つは、３５０ｋＨｚおよび４００ｋＨｚで動作するＤＣ−ＤＣコンバータに使用されている外付コイルであり、その２つの外付コイルについては必ずしも回路基板７２の底カバー７１側の面ではなく、回路基板７２のキーボード２１（図１参照）側の面に配置してもよい。
【０１２０】
図２８は、底カバー側から見た、底カバーと外付コイルとの位置関係を示す図である。
【０１２１】
回路基板７２上の５つの外付コイル７２１は、底カバー７１の空気穴７１２ａを取り巻く位置に配置されている。ＤＣ−ＤＣコンバータは電力を扱う回路であるため外付コイル７２１が発熱する。この発熱する外付コイル７２１を空気穴７１２ａの直下（直上）に配置すると空気の流れが妨げられ放熱性がかえって悪化する。そこで、ここでは、それら５つの外付コイル７２１は、空気穴７１２ａの直下（直上）ではなく、その空気穴７１２ａを取り巻く位置に配置されている。こうすることにより、空気穴７１２ａを通る空気の流れを確保し必要な冷却が行なわれる。
【０１２２】
［光ディスクの保護］
図２９は、図１に示す電子装置１０の、光ディスクドライブ２６（図１、図２参照）の制御に関する回路ブロック図である。
【０１２３】
ここには、ＣＰＵ、メモリ等を有する制御部を備えた本体システム８１、本体システム８１の指示に応じて、図１に示す表示画面３１上に、後述する画像を表示する表示部８２、前述した磁気センサ２７１，２７２および磁石３４１，３４２（図１６参照）により開状態（図１参照）、第１の閉状態（図５参照）、第２の開状態（図７参照）を区別して検出して本体システム８１に伝える開閉検出部８３、図３に示すポートリプリケータ５０への第１ユニット２０の着脱を検出して本体システム８１に伝えるポートリプリケータ接続検出部８４、および、本体システム８１の制御を受けて動作する光ディスクドライブ２６が示されている。ここで、ポートリプリケータ接続検出部８４は、図３に示すポートリプリケータ５０に備えられたコネクタ５１と、第１ユニット２０の底に設けられた、そのコネクタ５１と組み合うコネクタ（図示せず）との結合、分離を、その中の１本のピンの電気的な接断を検出することによって検出するものである。
【０１２４】
また光ディスクドライブ２６は、図２９に示すように、その光ディスクドライブ全体の制御を担うドライブ制御部９１、装填されたＣＤやＤＶＤ等の光ディスクをドライブ制御部９１の制御の下で回転、停止させるモータ９２、図１、図２にも示す、図１の状態にある光ディスクドライブを図２に示すように開く指示を与えるイジェクトボタン２６２、および、ドライブ制御部９１の制御の下でその光ディスクドライブ２６を図２に示すようにトレーを外部に突出させるイジェクト機構９３を有する。なお、図１に示す電子装置１０では光ディスクドライブとしてトレーローディング方式のドライブを採用しているが、トレーを用いない他の方式のドライブについても本発明の制御を適用可能であることは言うまでもない。また、光ディスク以外にフロッピーディスク（登録商標）、ＭＯ等のその他の記憶媒体のためのドライブについても本発明の制御は適用可能である。
【０１２５】
本体システム８１では、開閉検出部８３とポートリプリケータ接続検出部８４の検出結果により、図１の電子装置１０が図７に示すようなタブレットモードにあるか否かが判定される。
【０１２６】
ここでは一例として、ポートリプリケータ接続検出部８４により、図４、図５に示すように電子装置１０がポートリプリケータ５０に接続されている状態から図１に示すようにポートリプリケータ５０から外された状態に移行したことが検出され、かつ、開閉検出部８３により、図７に示すような第２の閉状態が検出されたときに、タブレットモードに移行したものと判定され、開閉検出部８３により第２の図７に示すような閉状態が検出されなくなったとき、あるいはポートリプリケータ接続検出部８４により図３に示すポートリプリケータ５０に接続されたことが検出されたときは、タブレットモードではなくなったものと判定される。ただし、光ディスクドライブ２６の制御に関する一層の安全のために、ポートリプリケータ接続検出部８４によるポートリプリケータから外されたことの検出と、開閉検出部８３による図７に示す第２の閉状態の検出との一方の検出をもって、光ディスクドライブ２６の制御に関しては、タブレットモードに移行したものと判定してもよい。
【０１２７】
本体システム８１により、タブレットモードに移行したこと、あるいはタブレットモードから外れたことが判定されると、この判定結果は光ディスクドライブ２６のドライブ制御部９１に伝えられる。ドライブ制御部９１は本体システム８１からタブレットモードに移行したことが伝えられると、モータ９２を、現在回転中のときは直ちに停止した上で、回転を禁止し、イジェクトボタン２６２が押されても、イジェクト機構９３による、光ディスクドライブの、図２に示すように開く動作を禁止する。
【０１２８】
本体システム８１から、タブレットモードから外れたことが通知されると、ドライブ制御部９１は、本体システム８１からのアクセス要求に応じてモータ９２を回転して光ディスクのアクセスを可能とし、またイジェクトボタン２６２の操作を受け付けてイジェクト機構９３に光ディスクドライブを図２に示すように開くよう指示する。
【０１２９】
また、本体システム８１は、タブレットモードへの移行に応じて、表示部８２に、光ディスクのアクセスが禁止されている旨表示させる。
【０１３０】
図３０は、検出結果が変化したときに本体システム内のＣＰＵで動作するプログラムの概略フローチャートである。
【０１３１】
このプログラムは、図２９に示す開閉検出部８３による開閉検出あるいはポートリプリケータ接続検出部８４によるポートリプリケータ５０の着脱検出があったときに動作するプログラムである。
【０１３２】
このプログラムでは先ず、タブレットモードであるか否かが判定され（ステップａ）、タブレットモードにあるときは、タブレットモードにあることの通知、すなわち、モータ９２による光ディスクの回転駆動禁止（ステップｂ１）とイジェクト禁止（ステップｂ２）の指示がなされ、さらに光ディスクドライブ２６が使用不能状態にある旨の表示が指示される（ステップｂ３）。
【０１３３】
一方、ステップａにおいてタブレットモードではないと判定されると、タブレットモードではないことの通知、すなわち、モータ９２による光ディスクの駆動禁止の解除（ステップｃ１）とイジェクト禁止の解除（ステップｃ２）の指示がなされ、さらに光ディスクドライブ２６の使用不能の表示消去が指示される（ステップｃ３）。
【０１３４】
以下では、光ディスクドライブ２６の使用禁止、禁止解除に伴う各種画面例を説明する。
【０１３５】
図３１は光ディスクドライブ２６の使用禁止、禁止解除の機能を利用するか否かを設定する設定画面を示す図である。
【０１３６】
ここでは、「Ｌｏｃｋ  ＣＤ／ＤＶＤ  ｄｒｉｖｅ  ｗｈｅｎ  ｔｈｅ  ｕｎｉｔ  ｉｓ  ｉｎ  ｔａｂｌｅｔ  ｍｏｄｅ」の欄にチェックを入れて「ＯＫ」ボタンを押すことにより、図３０のフローに従う機能を利用することが設定される。
【０１３７】
図３２は、光ディスクドライブが使用禁止状態に移行したときに表示される画面例を示す図である。
【０１３８】
ここでは、画面上に光ディスクドライブが使用禁止状態にあることを示すアイコンが表示され、さらにその使用禁止状態に移行したことを説明する吹き出しが一定時間表示される。図３３は、光ディスクドライブが現在使用禁止状態にあることを表わす画面例を示す図である。
【０１３９】
図３３（Ａ）には、光ディスクドライブが現在使用禁止状態にあることを表わすアイコンが表示されており、そのアイコンに表示画面上のカーソルを当てると図３３（Ｂ）に示すようにそのアイコンの説明が一定時間表示される。
【０１４０】
図３４は、光ディスクドライブの使用禁止を強制解除するときの画面例を示す図である。
【０１４１】
図３４（Ａ）は、光ディスクドライブが使用禁止状態にあることを表わすアイコンをクリックしたときに表われる画面であり、図３４（Ｂ）は、その中の「Ｕｎｌｏｃｋ  ｔｈｅ  ＣＤ／ＤＶＤ  Ｄｒｉｖｅ  ｆｏｒ  ｔｈｅ  ｔａｂｌｅｔ  ｓｅｓｓｉｏｎ」をクリックしたときの画面である。
【０１４２】
この「Ｕｎｌｏｃｋ  ｔｈｅ  ＣＤ／ＤＶＤ  Ｄｒｉｖｅ  ｆｏｒ  ｔｈｅ  ｔａｂｌｅｔ  ｓｅｓｓｉｏｎ」をクリックするのは、タブレットモードであっても光ディスクドライブ２６を使用可能とするためのユーザ操作である。
【０１４３】
図３５は、図３４（Ｂ）に示すように、「Ｕｎｌｏｃｋ  ｔｈｅ  ＣＤ／ＤＶＤ  Ｄｒｉｖｅ  ｆｏｒ  ｔｈｅ  ｔａｂｌｅｔ  ｓｅｓｓｉｏｎ」をクリックした後に表われる画面例を示す図である。
【０１４４】
その画面は、念のため、光ディスクドライブ２６を本当に使用可能としてもよいか確認するための画面であり、この画面で「ｙｅｓ」をクリックすると光ディスクドライブ２６が使用可能となる。
【０１４５】
図３６は、光ディスクドライブ２６の使用禁止が強制解除になったことを通知する画面例を表わす図である。
【０１４６】
図３５の画面上で「ｙｅｓ」をクリックすると、光ディスクドライブ２６の使用禁止が強制的に解除されて光ディスクドライブ２６が使用可能状態となり、ユーザには、図３６の画面が一定時間表示されることで、光ディスクドライブ２６が使用可能となったことが通知される。
【０１４７】
図３７は図３１に示す設定画面上で、「Ｌｏｃｋ  ＣＤ／ＤＶＤ  ｄｒｉｖｅ  ｗｈｅｎ  ｔｈｅ  ｕｎｉｔ  ｉｓ  ｉｎ  ｔａｂｌｅｔ  ｍｏｄｅ」のチェックを外して、図３０のフローに従う機能、すなわち、タブレットモードにあるときに光ディスクドライブ２６を使用禁止するという機能自体を無効にしようとしたときの警告画面を表わす図である。
【０１４８】
この警告画面上で「ＯＫ」ボタンをクリックすることにより本機能を無効にすることができる。
【０１４９】
光ディスクドライブには、光ディスクを回転駆動するときの姿勢が規定されており、その規定された姿勢から外れた姿勢で駆動すると正しいアクセスが行なわれないおそれがあり、さらに、光ディスクあるいは光ディスクドライブが破損するおそれがある。
【０１５０】
ここでは、上記のようにタブレットモードに移行したときに光ディスクドライブによるモータ回転（光ディスクの駆動）を禁止したため、その光ディスクドライブに光ディスクが装填されていたとしても破損を免がれることができる。また、タブレットモードでは、そのイジェクトボタン２６２（図１参照）が備えられる側面をユーザの腹に当ててその電子装置１０を腕にかかえた状態で使用されることが多いが、ここではタブレットモードではイジェクトボタンの操作も無効にしているため、光ディスクドライブが不用意に開いて中に装填されている光ディスクが落下して破損してしまうことも防止される。
【０１５１】
また、本機能による制御は、例えば、特開２００１−６９３９１号公報、特開２００１−９２５６４号公報、特開２００１−１２５６６２号公報、特闘２００１−１２５６８０号公報に関示されるようなトレーやその主機能部材が電子装置に対する収容状態および突出状態に移動される拡張装置にも適用可能である。このような拡張装置を備えた電子装置に本機能による制御によれば、電子装置のタブレットモードでの操作時または電源が入った状態での持ち運び時に拡張装置からトレーや主機能部材が電子装置から突出することを防止でき、作業や持ち運びの妨げを防ぐことができる。
【０１５２】
また、上記本機能による制御は、二軸ではなく一つの軸で第１ユニットと第２ユニットが連結された電子装置にも適用可能であり、電源投入状態で第１ユニットと第２ユニットを閉状態とされた電子装置が持ち歩かれているときなどに、上記と同様に、上記問題点の発生を防止し本機能による効果を生じることが可能である。
【０１５３】
以下、本発明の各種態様を付記する。
【０１５４】
（付記１）
第１ユニットと、該第１ユニットに対し開閉自在に支持する連結部を介して連結された第２ユニットとを備えた電子装置において、
記憶媒体が操作に応じて装填、取外しされ、装填された記憶媒体を駆動してアクセスする媒体ドライブと、
前記第１ユニットに対する前記第２ユニットの姿勢に応じて、前記媒体ドライブに対する操作および／または該媒体ドライブによる記憶媒体の駆動を禁止する動作禁止モードを設定あるいは解除する動作禁止部とを備えたことを特徴とする電子装置。
【０１５５】
（付記２）
前記第１ユニットは第３ユニットに着脱自在に装着可能であり、
前記動作禁止部が、前記姿勢に応じるとともに前記第１ユニットの前記第３ユニットへの着脱に応じて、前記動作禁止モードを設定あるいは解除するものであることを特徴とする付記１記載の電子装置。
【０１５６】
（付記３）
前記第１ユニットは第３ユニットに着脱自在に装着可能であり、
前記動作禁止部が、前記姿勢に応じることに代わり、前記第１ユニットの前記第３ユニットへの着脱に応じて、前記動作禁止モードを設定あるいは解除するものであることを特徴とする付記１記載の電子装置。
【０１５７】
（付記４）
前記動作禁止部により前記動作禁止モードが設定されている間、表示画面に前記媒体ドライブが使用不能である旨の表示を行なう表示部を備えたことを特徴とする付記１記載の電子装置。
【０１５８】
（付記５）
前記動作禁止部は、前記動作禁止モードにあるときに該動作禁止モードの解除を指示する解除指示操作を受け付けて該動作禁止モードを解除するものであることを特徴とする付記１記載の電子装置。
【０１５９】
（付記６）
前記第１ユニットはキーボードを有し、前記第２ユニットは表示両面を有することを特徴とする付記１記載の電子装置。
【０１６０】
（付記７）
前記連結部は、前記第１ユニットに対し開閉自在であると共に回動自在に支持する二軸の連結部であることを特徴とする付記１記載の電子装置。
【０１６１】
（付記８）
第１ユニットと、該第１ユニットに対し開閉自在に支持する連結部を介して連結された第２ユニットとを備えた電子装置において、
前記第１ユニットに設けられ、該第１ユニットに対して収容状態および突出状態に移動するユニットを有する拡張装置と、
前記第１ユニットに対する前記第２ユニットの姿勢に応じて、前記拡張装置のユニットを前記収容状態から前記突出状態への移動を禁止する動作禁止モードを設定あるいは解除する動作禁止部とを備えたことを特徴とする電子装置。
【０１６２】
（付記９）
前記第１ユニットは第３ユニットに着脱自在に装着可能であり、
前記動作禁止部が、前記姿勢に応じるとともに前記第１ユニットの前記第３ユニットヘの着脱に応じて、前記動作禁止モードを設定あるいは解除するものであることを特徴とする付記８記載の電子装置。
【０１６３】
（付記１０）
前記第１ユニットは第３ユニットに着脱自在に装着可能であり、
前記動作禁止部が、前記婆勢に応じることに代わり、前記第１ユニットの前記第３ユニットヘの着脱に応じて、前記動作禁止モードを設定あるいは解除するものであることを特徴とする付記８記載の電子装置。
【０１６４】
（付記１１）
前記動作禁止部は、前記動作禁止モードにあるときに該動作禁止モードの解除を指示する解除指示操作を受け付けて該動作禁止モードを解除するものであることを特徴とする付記１記載の電子装置。
【０１６５】
（付記１２）
前記第１ユニットはキーボードを有し、前記第２ユニットは表示画面を有することを特徴とする付記１記載の電子装置。
【０１６６】
（付記１３）
前記連結部は、前記第１ユニットに対し開閉自在であると共に回動自在に支持する二軸の連結部であることを特徴とする付記１記載の電子装置。
【０１６７】
（付記１４）
第１ユニットと、該第１ユニットに対し開閉自在に支持する連結部を介して連結された第２ユニットとを備えた電子装置で実行される制御プログラムにおいて、
前記電子装置は、記憶媒体が操作に応じて装填、取外しされ、装填された記憶媒体を駆動してアクセスする媒体ドライブを更に備え、該電子装置に、
前記第１ユニットに対する前記第２ユニットの姿勢を検出する手順と、
前記姿勢に応じて、前記媒体ドライブに対する操作および／または該媒体ドライブによる記億媒体の駆動を禁止する動作禁止モードを設定あるいは解除する手順と、
を実行させるためのプログラム。
【０１６８】
（付記１５）
第１ユニットと、該第１ユニットに対し開閉自在に支持する連結部を介して連結された第２ユニットとを備えた電子装置で実行される制御プログラムにおいて、
前記電子装置は、前記第１ユニットに設けられ、該第１ユニットに対して収容状態および突出状態に移動するウイニットを有する拡張装置を更に備え、該電子装置に、
前記第１ユニットに対する前記第２ユニットの姿勢を検出する手順と、
前記姿勢に応じて、前記拡張装置のユニットを前記収容状態から前記突出状態への移動、を禁止する動作禁止モードを設定あるいは解除する手順と、
を実行させるためのプログラム。
【符号の説明】
【０１６９】
１０    電子装置
２０    第１ユニット
２１    キーボード
２２    トラックパッド
２３    左クリックボタン
２４    右クリックボタン
２５    係止ユニット
２５１    係止穴
２５１ａ    隙き間
２５２    係止解除ボタン
２５３    係止突起
２５４    枠部品
２５５    バネ
２６    光ディスクドライブ
２６１    開閉蓋
２６２    イジェクトボタン
２７１    第１の磁気センサ
２７２    第２の磁気センサ
２７３    コネクタ
２８    回路基板
２９    コネクタ
３０    第２ユニット
３１    表示画面
３２    押ボタン
３３    留め具ユニット
３３１ａ，３３１ｂ    開口
３３２    留め具部材
３３２ａ    留め具
３３３    カバー部材
３４１    第１の磁石
３４１ａ    ケース
３４２    第２の磁石
３４２ａ    ケース
３５    回路基板
４０    二軸の連結部
４１    回動軸
５０    ポートリプリケータ
５１    コネクタ
６１    表示パネル
６１１    表示画面
６１２    取付穴
６２１    ボス
６２１ａ    ネジ穴
６２２    位置決めピン
６２６    ボス
６２７    位置決めピン
６２８    位置決めピン
６５    取付部品
６５１    取付穴
６５２    位置決め穴
６５３    ボス
６５３ａ    ネジ穴
６６    取付部品
６６１    位置決め穴
６６２    ネジ穴
６７    取付部品
６７１    切り欠き
６７２    ボス
６７２ａ    ネジ穴
７１    底カバー
７１２ａ    空気穴
７２    回路基板
７２１    外付コイル
８１    本体システム
８２    表示部
８３    開閉検出部
８４    ポートリプリケータ接続検出部
９１    ドライブ制御部
９２    モータ
９３    イジェクト機構
【図１】
2010140636.tif 000003
【図２】
2010140636.tif 000004
【図３】
2010140636.tif 000005
【図４】
2010140636.tif 000006
【図５】
2010140636.tif 000007
【図６】
2010140636.tif 000008
【図７】
2010140636.tif 000009
【図８】
2010140636.tif 000010
【図９】
2010140636.tif 000011
【図１０】
2010140636.tif 000012
【図１１】
2010140636.tif 000013
【図１２】
2010140636.tif 000014
【図１３】
2010140636.tif 000015
【図１４】
2010140636.tif 000016
【図１５】
2010140636.tif 000017
【図１６】
2010140636.tif 000018
【図１７】
2010140636.tif 000019
【図１８】
2010140636.tif 000020
【図１９】
2010140636.tif 000021
【図２０】
2010140636.tif 000022
【図２１】
2010140636.tif 000023
【図２２】
2010140636.tif 000024
【図２３】
2010140636.tif 000025
【図２４】
2010140636.tif 000026
【図２５】
2010140636.tif 000027
【図２６】
2010140636.tif 000028
【図２７】
2010140636.tif 000029
【図２８】
2010140636.tif 000030
【図２９】
2010140636.tif 000031
【図３０】
2010140636.tif 000032
【図３１】
2010140636.tif 000033
【図３２】
2010140636.tif 000034
【図３３】
2010140636.tif 000035
【図３４】
2010140636.tif 000036
【図３５】
2010140636.tif 000037
【図３６】
2010140636.tif 000038
【図３７】
2010140636.tif 000039